(57)【要約】【課題】通常使用時の利便性と３Ｄ視聴の安全性向上とを両立させる技術を提供する。【解決手段】顔認識による年齢に関する推定を行う顔認識処理部と、この顔認識処理部による年齢に関する推定の結果に基づいて動画再生を制御する動画再生制御部とを備えた画像再生装置。また、顔認識による年齢に関する推定を行い、この年齢に関する推定の結果に基づいて動画再生を制御する画像再生方法。また、顔認識による年齢に関する推定を行い、この年齢に関する推定の結果に基づいて動画再生を制御する手順を画像再生装置に実行させるプログラム。【選択図】  図２
2013093793.tif 000002
【特許請求の範囲】
【請求項１】
顔認識による年齢に関する推定を行う顔認識処理部と、
この顔認識処理部による年齢に関する推定の結果に基づいて動画再生を制御する動画再生制御部とを
備えた画像再生装置。
【請求項２】
前記動画再生制御部内に更に動画再生処理部を備え、この動画再生処理部は動画に加え前記推定の結果に基づく警告画面を成す表示信号を出力する請求項１に記載の画像再生装置。
【請求項３】
前記顔認識のためにユーザを撮影した結果である撮影データを前記顔認識処理部へ送出するカメラを更に備えた請求項１に記載の画像再生装置。
【請求項４】
前記表示信号を入力し前記警告画面を映すディスプレイを更に備えた請求項２に記載の画像再生装置。
【請求項５】
前記動画再生制御部内に更に視聴制限処理部を備え、この視聴制限処理部は前記動画再生処理部による3D画像の表示を制御する請求項１に記載の画像再生装置。
【請求項６】
顔認識による年齢に関する推定を行い、
この年齢に関する推定の結果に基づいて動画再生を制御する画像再生方法。
【請求項７】
顔認識による年齢に関する推定を行い、この年齢に関する推定の結果に基づいて動画再生を制御する手順を画像再生装置に実行させるプログラム。
【発明の詳細な説明】
【技術分野】
【０００１】
本発明の実施形態は、顔認識により3D視聴を制限する画像再生装置及び画像再生方法に関する。
【背景技術】
【０００２】
3D（画像の）視聴を制限する工夫が行われている。例えば、付帯情報に応じて警告や視聴制限をかける為に予めそのような情報を付与した画像データを用意する３Ｄ映像のデータフォーマットに関わるという技術がある（例えば、特許文献１参照。）。
【０００３】
また特定の人物の顔画像をあらかじめ登録または自動保存することを利用したりする技術もある。これらは、保存されている顔画像にもとづき、特定の個人に対して視聴制限等を行うものである。しかし顔画像の事前登録は不要としても、自動登録された顔画像と視聴している番組との関連が不適切であれば、視聴制限としては意味を成さない問題がある（例えば、特許文献２参照。）。
【０００４】
即ち通常使用時の利便性と３Ｄ視聴の安全性向上とを両立させる技術が求められているが、かかる要望を実現するための手段は知られていない。
【先行技術文献】
【特許文献】
【０００５】
【特許文献１】特開２０１０−２５８８７２号公報
【特許文献２】特開２００８−１８２３９２号公報
【発明の概要】
【発明が解決しようとする課題】
【０００６】
本発明の実施の形態は、通常使用時の利便性と３Ｄ視聴の安全性向上とを両立することができる技術を提供することを目的とする。
【課題を解決するための手段】
【０００７】
上記課題を解決するために、実施形態によれば画像再生装置は、顔認識による年齢に関する推定を行う顔認識処理部と、この顔認識処理部による年齢に関する推定の結果に基づいて動画再生を制御する動画再生制御部とを備えた。
【発明の効果】
【０００８】
発明の効果は特には記載しない。
【図面の簡単な説明】
【０００９】
【図１】本実施形態におけるパーソナルコンピュータのシステム構成を示すブロック図。
【図２】同実施形態の顔認識3D視聴制限の機能構成概略図。
【図３】同実施形態の警告画面例１。
【図４】同実施形態の警告画面例２。
【図５】通常実施形態に用いられるプレイヤーアプリの概略を示す図。
【図６】実施形態の要部の一例を示すフローチャート。
【発明を実施するための形態】
【００１０】
以下、本発明の一実施形態を説明する。
右眼と左眼の視差を利用した３Ｄ表示がＰＣ（パーソナルコンピュータ）でも可能となり、ＤＶＤやＢｌｕ−ｒａｙなどの動画も３Ｄ再生が可能となった。しかし、３Ｄ表示は子供の目への悪影響が懸念されており、保護者に対して６歳以下の子供には３Ｄ視聴させないよう注意を呼びかけている。
【００１１】
本実施形態では、このような子供に対する視聴制限を、単にマニュアルやヘルプの記載で保護者に注意を促すだけとせず、顔認識技術を用いて視聴者が子供であるかを判別し、子供と思われる場合は警告ダイアログボックスを表示したり再生を停止するなどして、より能動的に３Ｄ視聴制限を行う機能を実現する。この実施形態を図１乃至図６を参照して説明する。
【００１２】
まず図１を参照して、パーソナルコンピュータ１０のシステム構成について説明する。
本コンピュータ１０は、ＣＰＵ１１１、ノースブリッジ１１４、主メモリ１１５、グラフィクスプロセッシングユニット（ＧＰＵ）１１６、サウスブリッジ１１７、ＢＩＯＳ−ＲＯＭ１２０、ハードディスクドライブ（ＨＤＤ）１２１、光ディスクドライブ（ＯＤＤ）１２２、サウンドコントローラ１２３、ＴＶチューナ１２４、ビデオプロセッサ１２５、エンベデッドコントローラ／キーボードコントローラＩＣ（ＥＣ／ＫＢＣ）１４０、及び電源回路１４１等を備えている。
【００１３】
ＣＰＵ１１１は本コンピュータ１０の動作を制御するために設けられたプロセッサであり、記憶媒体であるＨＤＤ１２１から主メモリ１１５にロードされる、オペレーティングシステム（ＯＳ）１１２ａ、後述の各種アプリケーションプログラム、ＢＩＯＳ−ＲＯＭ１２０に格納されたＢＩＯＳ（Basic Input Output System）などを実行する。アプリケーションプログラムには、映像再生プログラム１１２ｂ、位置調整プログラム１１２ｃが含まれている。
【００１４】
映像再生プログラム１１２ｂは、例えばハードディスクドライブ（ＨＤＤ）１２１やＤＶＤ（Digital Versatile Disc）などの記録メディアに記録された、３Ｄ映像コンテンツを再生出力することができるアプリケーションである。位置調整プログラム１１２ｃは、映像再生プログラム１１２ｂによって３Ｄ映像が再生出力される場合に、ユーザがディスプレイユニット１２（ＬＣＤ１７）に対して正対する最適な位置で視聴できるように補助するための位置調整処理を実行する。
【００１５】
ノースブリッジ１１４はＣＰＵ１１１のローカルバスとサウスブリッジ１１７との間を接続するブリッジデバイスである。ノースブリッジ１１４には、主メモリ１１５をアクセス制御するメモリコントローラも内蔵されている。また、ノースブリッジ１１４は、PCI Expressバスなどを介してグラフィクスプロセッシングユニット（ＧＰＵ）１１６との通信を実行する機能も有している。
【００１６】
グラフィクスプロセッシングユニット（ＧＰＵ）１１６は、本コンピュータ１０のディスプレイモニタとして使用されるＬＣＤ１７を制御する表示コントローラである。ＧＰＵ１１６は、ＯＳまたはアプリケーションプログラムによってビデオメモリ（ＶＲＡＭ）１１６Ａに書き込まれた表示データから、ＬＣＤ１７に表示すべき画面イメージを形成する映像信号を生成する。
【００１７】
サウスブリッジ１１７は、ＨＤＤ１２１及び光ディスクドライブ（ＯＤＤ）１２２を制御するためのコントローラを内蔵している。
ＨＤＤ１２１は、各種プログラム及びデータを格納する記憶装置である。ＨＤＤ１２１には、例えばＯＳ、各種アプリケーションプログラム、映像コンテンツデータなどが記憶されている。また、ＨＤＤ１２１には、位置調整プログラム１１２ｃによる位置調整処理において、ＬＣＤ１７に表示されるユーザに対するメッセージのデータが記録されている。
【００１８】
光ディスクドライブ（ＯＤＤ）１２２は、映像コンテンツなどが格納されたＤＶＤなどの記録メディアを駆動するためのドライブユニットである。
サウンドコントローラ１２３は、音源デバイスであり、各種オーディオデータに対応する音をスピーカ１９，２０から出力するための処理を実行する。ＴＶチューナ１２４は、ＴＶ放送信号によって放送される放送番組データを受信する。
【００１９】
さらに、サウスブリッジ１１７には、ビデオプロセッサ１２５が接続されている。ビデオプロセッサ１２５は、映像のストリーミング処理や認識処理を行う専用エンジンである。メモリ１２５Ａは、ビデオプロセッサ１２５の作業メモリとして用いられる。
【００２０】
エンベデッドコントローラ／キーボードコントローラＩＣ（ＥＣ／ＫＢＣ）１４０は、電源管理のためのエンベデッドコントローラと、キーボード（ＫＢ）１３、タッチパッド１５、及びＡＶ操作パネル１６を制御するためのキーボードコントローラとが集積された１チップマイクロコンピュータである。
【００２１】
またＥＣ／ＫＢＣ１４０は、ユーザによるパワーボタンスイッチ１４の操作に応じて本コンピュータ１０をパワーオン／パワーオフする機能を有している。本コンピュータ１０のパワーオン／パワーオフの制御は、ＥＣ／ＫＢＣ１４０と電源回路１４１との共同動作によって実行される。電源回路１４１は、コンピュータ本体１１に装着されたバッテリ１４２からの電力、またはコンピュータ本体１１に外部電源として接続されるＡＣアダプタ１４３からの電力を用いて、各コンポーネントへの動作電源を生成する。
【００２２】
次に、本実施形態におけるパーソナルコンピュータ１０の動作について説明する。
本実施形態におけるパーソナルコンピュータ１０では、例えば時分割表示方式を利用した３Ｄ映像コンテンツを再生表示することができる。３Ｄ映像コンテンツは、ＬＣＤ１７において表示される映像を立体像として認識させるために、右目用の映像と左目用の映像とを交互に表示する。ユーザは、３Ｄ映像視認用のメガネを装着することで、ＬＣＤ１７に表示された映像を３Ｄ映像として認識することができる。本実施形態において用いられる３Ｄ映像視認用のメガネ（以下、単にメガネと称する）は、例えば液晶シャッターメガネとする。このメガネは、３Ｄ映像コンテンツの右目用と左目用の映像の切り替えと同期して、右目側と左目側とが交互に透過状態と非透過状態に切り替えられる。これにより、ユーザは、右目により右目用の映像を視認し、左目により左目用の映像を視認して、映像を立体として認識することができる。
【００２３】
なお、本実施形態における映像表示装置（パーソナルコンピュータ１０）は、液晶シャッターメガネを利用する時分割表示方式により３Ｄ映像を表示するものに限定されない。すなわち、メガネを装着して３Ｄ映像を見る際に、最適位置からずれている場合に３Ｄ映像の品質が低下する方式を利用する映像表示装置であれば良い。
【００２４】
さて従来、視聴制限の機能としてはパレンタルコントロールといったものがあり、ＤＶＤやＢｌｕ−ｒａｙなどのディスクにあらかじめ設定されたレベルに対して視聴制限を行い、その解除にはパスワードを入力する必要がある。しかし、これを３Ｄタイトルに応用するのでは、３Ｄ視聴の影響が無い年齢のユーザが視聴する場合に、毎回パスワードを入力する必要があり、非常にわずらわしいものとなる。
【００２５】
また、３Ｄ表示を行う際に必ずメッセージ表示を行うことも可能だが、毎回、同じメッセージが表示されるのもわずらわしく、ユーザはメッセージ表示を無効にする可能性が高く、必要なときにもメッセージが表示されないことになる危険がある。
【００２６】
このため、３Ｄ視聴においては、通常は３Ｄでの再生ができ、特定の条件においてのみ制限を実施する仕組みが望まれる。
本実施形態では、視聴制限機能として顔認識技術を用いた視聴者の年齢推定を行い、子供と思われる場合には警告、メッセージを表示したり、再生を禁止することにより、必要なときにのみ３Ｄ視聴制限を行う機能を実現する。
【００２７】
図５は一般的なプレイヤーアプリの概要を示したものである。
プレイヤーアプリ５０には、ユーザUの操作を受け付けるユーザ操作処理部５５とユーザ操作処理部５５からの再生指示に従い、映画などの動画を表示する動画再生処理部５７を持つ。３Ｄ再生に対応したプレイヤーアプリ５０では、3D Display６０に３Ｄ映像を表示することによりユーザUは3Dで動画を視聴することができる。
【００２８】
図２は図５との対比において本実施形態の概略を示したものであり、ここでは主にＣＰＵ１１１で実行される。プレイヤーアプリ５０の変形であるプレイヤーアプリ５０Aには、動画再生処理部５７の変形である動画再生処理部５７Aと３D視聴制限処理部５８、顔認識処理部５９とが含まれている。また例えば３D  Display６０に装着されたWebカメラ７０（カメラ２１に相当）からの撮影データをこの顔認識処理部５９は受信して認識処理を実行するように構成されている（顔認識自体に関しては特開2001-256496号、2005-165447号などを参照）。
【００２９】
即ち本実施形態ではプレイヤーアプリに3D視聴制限処理部５８と顔認識処理部５９を実装し、3D映像を再生する時にはこれらの処理によりユーザの年齢推定を行い、必要に応じて警告表示などを行う。
【００３０】
上記のようにＰＣ（TVなどでもよい）にはＷｅｂカメラ７０が搭載されており、これによりプレイヤーアプリ５０Aを視聴しているユーザを撮影することができる。３Ｄ再生を行う際には顔認識処理部５９にてＷｅｂカメラ７０にて撮影した映像に対して顔認識処理を行い、ユーザの年齢推定処理を行う。
【００３１】
本実施形態における動作制御は図６の通りとなる。
ユーザがプレイヤーを操作し３Ｄ映像の再生を開始させようとすると、動画再生処理部５７Aはユーザ操作処理部５５からの再生指示（ステップＳ６１）に対して、まず、3D視聴制限処理部５８に制限確認の問い合わせを行う（ステップＳ６２）。これにより、3D視聴制限処理部５８は顔認識処理部５９を用いて３Ｄ視聴を許可してよいか判定処理を行う（ステップＳ６３）。
【００３２】
顔認識処理部５９はＷｅｂカメラで撮影した映像を用いて年齢推定処理を行い、その結果、ユーザが子供と推定された場合は（ステップＳ６４のYES）、動画再生処理部は３Ｄ映像を表示せずに、警告画面を表示する（ステップＳ６５）。この場合映像は無表示か少なくとも３Dではない例えば２Dなどの映像である（ステップＳ６６）。他方でユーザが子供と推定された場合は（ステップＳ６４のNO、３Ｄ映像を表示する（ステップＳ６６）。
【００３３】
図３、図４は上記警告画面の例である。
図３に示すように警告画面は注意を促すだけのものとし、OKボタンを押せば３Ｄ映像の再生を実行するものであっても良いし、図４に示すようにパスワードの入力を求め、パスワードによるロックが解除されなければ３Ｄ再生を停止したり、２Ｄ再生に切り替えたりするものとしても良い。
【００３４】
即ち図３の場合においては警告画面例として、「3D 映像の視聴年齢は6 歳以上を目安にしてください。お子様が3D 映像を見ると、視機能の発達に障害を与える原因となることがあります。
【００３５】
保護者の方の管理のもとに、お子様の様子に注意を払い、視聴の可否判断や時間制限などをしてください。」と表示し、続く問いとして「3D 映像を再生しますか？」と表示してはい又はいいえの入力を求めている。
【００３６】
他方で図４の場合においては警告画面例は図３の場合と同じであるが、続く問いとして「3D 映像を再生するにはパスワードを入カしてください。」と表示して２Dで再生又はOK又はキャンセルの入力を求めている。
【００３７】
本実施形態では、これらの警告画面は通常は表示されることはなく、図２に示す処理によって3D視聴制限が実施される場合のみの表示とすることができる。
これにより、通常の３Ｄ再生では、毎回メッセージが表示されたり、パスワード入力が求められるといったわずらわしさを無くすことができ、また、子供が視聴しようとしている場合だけ警告表示やパスワードロックを実施することができる。
【００３８】
なお、顔認識処理部での年齢推定処理においては、３Ｄメガネが不要である裸眼３Ｄディスプレイを用いれば、３Ｄメガネに邪魔されることなく顔認識処理を適用することが可能である。
【００３９】
また、３Ｄメガネを必要とするシステムにおいては、３Ｄメガネの大きさと顔の大きさとの比較を利用して年齢推定を行うことも可能である。
以上、本実施形態では個人を特定することは目的としておらず、あらかじめ顔画像を登録することや、自動であっても顔画像を保存しておくといった必要はない。このため、３Ｄ視聴のための特別の操作や条件の登録などは不要であり、通常の使用においてユーザの利便性を損なわない。
【００４０】
一方で、視聴者が３Ｄ視聴の悪影響が懸念されるような子供であると推定される場合のみ、警告表示やパスワードロックなどによる視聴制限を行うことができる。
これにより、通常使用時の利便性と３Ｄ視聴の安全性向上とを両立させることができる。
即ち３Ｄ映像を視聴しようとしているユーザが子供かどうか自動認識することで、必要なときにのみ警告メッセージやパスワードロックを実施する。これにより、通常は警告表示などによる不便を無くすとともに、子供が視聴する場合のみ制限をかけて３Ｄ視聴の安全性を向上させることができる。
【００４１】
（実施形態の特徴）
３Ｄ再生において子供への視聴制限を容易に行うための3D視聴制限機能を持つ。
プレイヤーアプリにおいて、顔認識による年齢推定を行う顔認識処理部と、その判定結果によって動画再生を制御する3D視聴制限処理部とを実装し、ユーザが子供と認識された場合は自動的に警告の表示や再生制限を行うことを可能とする。それ以外の場合は警告表示や再生制限は行わないため、通常の視聴での利便性を損なわない。（3D）視聴制限処理部と動画再生処理部とでいわば動画再生制御部を構成するものである。
【００４２】
なお、この発明は上記実施形態に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係わる構成要素を適宜組み合わせても良いものである。
【符号の説明】
【００４３】
１０…パーソナルコンピュータ、２１…カメラ、１１２ｂ…映像再生アプリケーションプログラム、１１２ｃ…位置調整プログラム、１２５…ビデオプロセッサ。
【図１】
2013093793.tif 000003
【図２】
2013093793.tif 000004
【図３】
2013093793.tif 000005
【図４】
2013093793.tif 000006
【図５】
2013093793.tif 000007
【図６】
2013093793.tif 000008
【手続補正書】
【提出日】平成24年4月27日(2012.4.27)
【手続補正１】
【補正対象書類名】明細書
【補正対象項目名】全文
【補正方法】変更
【補正の内容】
【発明の詳細な説明】
【技術分野】
【０００１】
本発明の実施形態は、顔認識により3D視聴を制限する画像再生装置及び画像再生方法に関する。
【背景技術】
【０００２】
3D（画像の）視聴を制限する工夫が行われている。例えば、付帯情報に応じて警告や視聴制限をかける為に予めそのような情報を付与した画像データを用意する３Ｄ映像のデータフォーマットに関わるという技術がある（例えば、特許文献１参照。）。
【０００３】
また特定の人物の顔画像をあらかじめ登録または自動保存することを利用したりする技術もある。これらは、保存されている顔画像にもとづき、特定の個人に対して視聴制限等を行うものである。しかし顔画像の事前登録は不要としても、自動登録された顔画像と視聴している番組との関連が不適切であれば、視聴制限としては意味を成さない問題がある（例えば、特許文献２参照。）。
【０００４】
即ち通常使用時の利便性と３Ｄ視聴の安全性向上とを両立させる技術が求められているが、かかる要望を実現するための手段は知られていない。
【先行技術文献】
【特許文献】
【０００５】
【特許文献１】特開２０１０−２５８８７２号公報
【特許文献２】特開２００８−１８２３９２号公報
【発明の概要】
【発明が解決しようとする課題】
【０００６】
本発明の実施の形態は、通常使用時の利便性と３Ｄ視聴の安全性向上とを両立することができる技術を提供することを目的とする。
【課題を解決するための手段】
【０００７】
上記課題を解決するために、実施形態によれば画像再生装置は、顔認識による年齢に関する推定を行う顔認識処理部と、この顔認識処理部による年齢に関する推定の結果に基づいて動画再生を制御する動画再生制御部とを備えた。
【図面の簡単な説明】
【０００８】
【図１】本実施形態におけるパーソナルコンピュータのシステム構成を示すブロック図。
【図２】同実施形態の顔認識3D視聴制限の機能構成概略図。
【図３】同実施形態の警告画面例１。
【図４】同実施形態の警告画面例２。
【図５】通常実施形態に用いられるプレイヤーアプリの概略を示す図。
【図６】実施形態の要部の一例を示すフローチャート。
【発明を実施するための形態】
【０００９】
以下、本発明の一実施形態を説明する。
右眼と左眼の視差を利用した３Ｄ表示がＰＣ（パーソナルコンピュータ）でも可能となり、ＤＶＤやＢｌｕ−ｒａｙなどの動画も３Ｄ再生が可能となった。しかし、３Ｄ表示は子供の目への悪影響が懸念されており、保護者に対して６歳以下の子供には３Ｄ視聴させないよう注意を呼びかけている。
【００１０】
本実施形態では、このような子供に対する視聴制限を、単にマニュアルやヘルプの記載で保護者に注意を促すだけとせず、顔認識技術を用いて視聴者が子供であるかを判別し、子供と思われる場合は警告ダイアログボックスを表示したり再生を停止するなどして、より能動的に３Ｄ視聴制限を行う機能を実現する。この実施形態を図１乃至図６を参照して説明する。
【００１１】
まず図１を参照して、パーソナルコンピュータ１０のシステム構成について説明する。
本コンピュータ１０は、ＣＰＵ１１１、ノースブリッジ１１４、主メモリ１１５、グラフィクスプロセッシングユニット（ＧＰＵ）１１６、サウスブリッジ１１７、ＢＩＯＳ−ＲＯＭ１２０、ハードディスクドライブ（ＨＤＤ）１２１、光ディスクドライブ（ＯＤＤ）１２２、サウンドコントローラ１２３、ＴＶチューナ１２４、ビデオプロセッサ１２５、エンベデッドコントローラ／キーボードコントローラＩＣ（ＥＣ／ＫＢＣ）１４０、及び電源回路１４１等を備えている。
【００１２】
ＣＰＵ１１１は本コンピュータ１０の動作を制御するために設けられたプロセッサであり、記憶媒体であるＨＤＤ１２１から主メモリ１１５にロードされる、オペレーティングシステム（ＯＳ）１１２ａ、後述の各種アプリケーションプログラム、ＢＩＯＳ−ＲＯＭ１２０に格納されたＢＩＯＳ（Basic Input Output System）などを実行する。アプリケーションプログラムには、映像再生プログラム１１２ｂ、位置調整プログラム１１２ｃが含まれている。
【００１３】
映像再生プログラム１１２ｂは、例えばハードディスクドライブ（ＨＤＤ）１２１やＤＶＤ（Digital Versatile Disc）などの記録メディアに記録された、３Ｄ映像コンテンツを再生出力することができるアプリケーションである。位置調整プログラム１１２ｃは、映像再生プログラム１１２ｂによって３Ｄ映像が再生出力される場合に、ユーザがディスプレイユニット１２（ＬＣＤ１７）に対して正対する最適な位置で視聴できるように補助するための位置調整処理を実行する。
【００１４】
ノースブリッジ１１４はＣＰＵ１１１のローカルバスとサウスブリッジ１１７との間を接続するブリッジデバイスである。ノースブリッジ１１４には、主メモリ１１５をアクセス制御するメモリコントローラも内蔵されている。また、ノースブリッジ１１４は、PCI Expressバスなどを介してグラフィクスプロセッシングユニット（ＧＰＵ）１１６との通信を実行する機能も有している。
【００１５】
グラフィクスプロセッシングユニット（ＧＰＵ）１１６は、本コンピュータ１０のディスプレイモニタとして使用されるＬＣＤ１７を制御する表示コントローラである。ＧＰＵ１１６は、ＯＳまたはアプリケーションプログラムによってビデオメモリ（ＶＲＡＭ）１１６Ａに書き込まれた表示データから、ＬＣＤ１７に表示すべき画面イメージを形成する映像信号を生成する。
【００１６】
サウスブリッジ１１７は、ＨＤＤ１２１及び光ディスクドライブ（ＯＤＤ）１２２を制御するためのコントローラを内蔵している。
ＨＤＤ１２１は、各種プログラム及びデータを格納する記憶装置である。ＨＤＤ１２１には、例えばＯＳ、各種アプリケーションプログラム、映像コンテンツデータなどが記憶されている。また、ＨＤＤ１２１には、位置調整プログラム１１２ｃによる位置調整処理において、ＬＣＤ１７に表示されるユーザに対するメッセージのデータが記録されている。
【００１７】
光ディスクドライブ（ＯＤＤ）１２２は、映像コンテンツなどが格納されたＤＶＤなどの記録メディアを駆動するためのドライブユニットである。
サウンドコントローラ１２３は、音源デバイスであり、各種オーディオデータに対応する音をスピーカ１９，２０から出力するための処理を実行する。ＴＶチューナ１２４は、ＴＶ放送信号によって放送される放送番組データを受信する。
【００１８】
さらに、サウスブリッジ１１７には、ビデオプロセッサ１２５が接続されている。ビデオプロセッサ１２５は、映像のストリーミング処理や認識処理を行う専用エンジンである。メモリ１２５Ａは、ビデオプロセッサ１２５の作業メモリとして用いられる。
【００１９】
エンベデッドコントローラ／キーボードコントローラＩＣ（ＥＣ／ＫＢＣ）１４０は、電源管理のためのエンベデッドコントローラと、キーボード（ＫＢ）１３、タッチパッド１５、及びＡＶ操作パネル１６を制御するためのキーボードコントローラとが集積された１チップマイクロコンピュータである。
【００２０】
またＥＣ／ＫＢＣ１４０は、ユーザによるパワーボタンスイッチ１４の操作に応じて本コンピュータ１０をパワーオン／パワーオフする機能を有している。本コンピュータ１０のパワーオン／パワーオフの制御は、ＥＣ／ＫＢＣ１４０と電源回路１４１との共同動作によって実行される。電源回路１４１は、コンピュータ本体１１に装着されたバッテリ１４２からの電力、またはコンピュータ本体１１に外部電源として接続されるＡＣアダプタ１４３からの電力を用いて、各コンポーネントへの動作電源を生成する。
【００２１】
次に、本実施形態におけるパーソナルコンピュータ１０の動作について説明する。
本実施形態におけるパーソナルコンピュータ１０では、例えば時分割表示方式を利用した３Ｄ映像コンテンツを再生表示することができる。３Ｄ映像コンテンツは、ＬＣＤ１７において表示される映像を立体像として認識させるために、右目用の映像と左目用の映像とを交互に表示する。ユーザは、３Ｄ映像視認用のメガネを装着することで、ＬＣＤ１７に表示された映像を３Ｄ映像として認識することができる。本実施形態において用いられる３Ｄ映像視認用のメガネ（以下、単にメガネと称する）は、例えば液晶シャッターメガネとする。このメガネは、３Ｄ映像コンテンツの右目用と左目用の映像の切り替えと同期して、右目側と左目側とが交互に透過状態と非透過状態に切り替えられる。これにより、ユーザは、右目により右目用の映像を視認し、左目により左目用の映像を視認して、映像を立体として認識することができる。
【００２２】
なお、本実施形態における映像表示装置（パーソナルコンピュータ１０）は、液晶シャッターメガネを利用する時分割表示方式により３Ｄ映像を表示するものに限定されない。すなわち、メガネを装着して３Ｄ映像を見る際に、最適位置からずれている場合に３Ｄ映像の品質が低下する方式を利用する映像表示装置であれば良い。
【００２３】
さて従来、視聴制限の機能としてはパレンタルコントロールといったものがあり、ＤＶＤやＢｌｕ−ｒａｙなどのディスクにあらかじめ設定されたレベルに対して視聴制限を行い、その解除にはパスワードを入力する必要がある。しかし、これを３Ｄタイトルに応用するのでは、３Ｄ視聴の影響が無い年齢のユーザが視聴する場合に、毎回パスワードを入力する必要があり、非常にわずらわしいものとなる。
【００２４】
また、３Ｄ表示を行う際に必ずメッセージ表示を行うことも可能だが、毎回、同じメッセージが表示されるのもわずらわしく、ユーザはメッセージ表示を無効にする可能性が高く、必要なときにもメッセージが表示されないことになる危険がある。
【００２５】
このため、３Ｄ視聴においては、通常は３Ｄでの再生ができ、特定の条件においてのみ制限を実施する仕組みが望まれる。
本実施形態では、視聴制限機能として顔認識技術を用いた視聴者の年齢推定を行い、子供と思われる場合には警告、メッセージを表示したり、再生を禁止することにより、必要なときにのみ３Ｄ視聴制限を行う機能を実現する。
【００２６】
図５は一般的なプレイヤーアプリの概要を示したものである。
プレイヤーアプリ５０には、ユーザUの操作を受け付けるユーザ操作処理部５５とユーザ操作処理部５５からの再生指示に従い、映画などの動画を表示する動画再生処理部５７を持つ。３Ｄ再生に対応したプレイヤーアプリ５０では、3D Display６０に３Ｄ映像を表示することによりユーザUは3Dで動画を視聴することができる。
【００２７】
図２は図５との対比において本実施形態の概略を示したものであり、ここでは主にＣＰＵ１１１で実行される。プレイヤーアプリ５０の変形であるプレイヤーアプリ５０Aには、動画再生処理部５７の変形である動画再生処理部５７Aと３D視聴制限処理部５８、顔認識処理部５９とが含まれている。また例えば３D  Display６０に装着されたWebカメラ７０（カメラ２１に相当）からの撮影データをこの顔認識処理部５９は受信して認識処理を実行するように構成されている（顔認識自体に関しては特開2001-256496号、2005-165447号などを参照）。
【００２８】
即ち本実施形態ではプレイヤーアプリに3D視聴制限処理部５８と顔認識処理部５９を実装し、3D映像を再生する時にはこれらの処理によりユーザの年齢推定を行い、必要に応じて警告表示などを行う。
【００２９】
上記のようにＰＣ（TVなどでもよい）にはＷｅｂカメラ７０が搭載されており、これによりプレイヤーアプリ５０Aを視聴しているユーザを撮影することができる。３Ｄ再生を行う際には顔認識処理部５９にてＷｅｂカメラ７０にて撮影した映像に対して顔認識処理を行い、ユーザの年齢推定処理を行う。
【００３０】
本実施形態における動作制御は図６の通りとなる。
ユーザがプレイヤーを操作し３Ｄ映像の再生を開始させようとすると、動画再生処理部５７Aはユーザ操作処理部５５からの再生指示（ステップＳ６１）に対して、まず、3D視聴制限処理部５８に制限確認の問い合わせを行う（ステップＳ６２）。これにより、3D視聴制限処理部５８は顔認識処理部５９を用いて３Ｄ視聴を許可してよいか判定処理を行う（ステップＳ６３）。
【００３１】
顔認識処理部５９はＷｅｂカメラで撮影した映像を用いて年齢推定処理を行い、その結果、ユーザが子供と推定された場合は（ステップＳ６４のYES）、動画再生処理部は３Ｄ映像を表示せずに、警告画面を表示する（ステップＳ６５）。この場合映像は無表示か少なくとも３Dではない例えば２Dなどの映像である（ステップＳ６６）。他方でユーザが子供と推定された場合は（ステップＳ６４のNO、３Ｄ映像を表示する（ステップＳ６６）。
【００３２】
図３、図４は上記警告画面の例である。
図３に示すように警告画面は注意を促すだけのものとし、OKボタンを押せば３Ｄ映像の再生を実行するものであっても良いし、図４に示すようにパスワードの入力を求め、パスワードによるロックが解除されなければ３Ｄ再生を停止したり、２Ｄ再生に切り替えたりするものとしても良い。
【００３３】
即ち図３の場合においては警告画面例として、「3D 映像の視聴年齢は6 歳以上を目安にしてください。お子様が3D 映像を見ると、視機能の発達に障害を与える原因となることがあります。
【００３４】
保護者の方の管理のもとに、お子様の様子に注意を払い、視聴の可否判断や時間制限などをしてください。」と表示し、続く問いとして「3D 映像を再生しますか？」と表示してはい又はいいえの入力を求めている。
【００３５】
他方で図４の場合においては警告画面例は図３の場合と同じであるが、続く問いとして「3D 映像を再生するにはパスワードを入カしてください。」と表示して２Dで再生又はOK又はキャンセルの入力を求めている。
【００３６】
本実施形態では、これらの警告画面は通常は表示されることはなく、図２に示す処理によって3D視聴制限が実施される場合のみの表示とすることができる。
これにより、通常の３Ｄ再生では、毎回メッセージが表示されたり、パスワード入力が求められるといったわずらわしさを無くすことができ、また、子供が視聴しようとしている場合だけ警告表示やパスワードロックを実施することができる。
【００３７】
なお、顔認識処理部での年齢推定処理においては、３Ｄメガネが不要である裸眼３Ｄディスプレイを用いれば、３Ｄメガネに邪魔されることなく顔認識処理を適用することが可能である。
【００３８】
また、３Ｄメガネを必要とするシステムにおいては、３Ｄメガネの大きさと顔の大きさとの比較を利用して年齢推定を行うことも可能である。
以上、本実施形態では個人を特定することは目的としておらず、あらかじめ顔画像を登録することや、自動であっても顔画像を保存しておくといった必要はない。このため、３Ｄ視聴のための特別の操作や条件の登録などは不要であり、通常の使用においてユーザの利便性を損なわない。
【００３９】
一方で、視聴者が３Ｄ視聴の悪影響が懸念されるような子供であると推定される場合のみ、警告表示やパスワードロックなどによる視聴制限を行うことができる。
これにより、通常使用時の利便性と３Ｄ視聴の安全性向上とを両立させることができる。
即ち３Ｄ映像を視聴しようとしているユーザが子供かどうか自動認識することで、必要なときにのみ警告メッセージやパスワードロックを実施する。これにより、通常は警告表示などによる不便を無くすとともに、子供が視聴する場合のみ制限をかけて３Ｄ視聴の安全性を向上させることができる。
【００４０】
（実施形態の特徴）
３Ｄ再生において子供への視聴制限を容易に行うための3D視聴制限機能を持つ。
プレイヤーアプリにおいて、顔認識による年齢推定を行う顔認識処理部と、その判定結果によって動画再生を制御する3D視聴制限処理部とを実装し、ユーザが子供と認識された場合は自動的に警告の表示や再生制限を行うことを可能とする。それ以外の場合は警告表示や再生制限は行わないため、通常の視聴での利便性を損なわない。（3D）視聴制限処理部と動画再生処理部とでいわば動画再生制御部を構成するものである。
【００４１】
なお、この発明は上記実施形態に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係わる構成要素を適宜組み合わせても良いものである。
【符号の説明】
【００４２】
１０…パーソナルコンピュータ、２１…カメラ、１１２ｂ…映像再生アプリケーションプログラム、１１２ｃ…位置調整プログラム、１２５…ビデオプロセッサ。